(57)【要約】【課題】コンパクトであり、電源部装着時においても高い一体感が得られる電源部着脱型電子機器を提供する。【解決手段】電源部着脱型電子機器としてのブースタ装置１は、電源部６と、電源部６を着脱可能なケース２と、を備えており、ケース２は、電源部６が装着されるスペースである電源部装着スペースを有する伸張状態と、その電源部装着スペースが減少することでケース２の外形が収縮する収縮状態と、の間において伸縮するためのレール２２及びガイド２４を備えている。【選択図】図１
2019036954.tif 000002
【特許請求の範囲】
【請求項１】
電源部と、
前記電源部を着脱可能なケースと、
を備えており、
前記ケースは、前記電源部が装着されるスペースである電源部装着スペースを有する伸張状態と、前記電源部装着スペースが減少することで前記ケースの外形が収縮する収縮状態と、の間において伸縮するための伸縮手段を備えている
ことを特徴とする電源部着脱型電子機器。
【請求項２】
電源部を着脱可能なケース
を備えており、
前記ケースは、前記電源部が装着されるスペースである電源部装着スペースを有する伸張状態と、前記電源部装着スペースが減少することで前記ケースの外形が収縮する収縮状態と、の間において伸縮するための伸縮手段を備えている
ことを特徴とする電源部着脱型電子機器。
【請求項３】
前記ケースは、ベースと、それに入る引き出しと、を備えており、
前記伸縮手段は、前記ベースと前記引き出しとの間に介装されたスライド機構を含んでいる
ことを特徴とする請求項１又は請求項２に記載の電源部着脱型電子機器。
【請求項４】
前記ケースは、カバーを備えており、
前記カバーは、前記伸張状態及び前記収縮状態において開閉可能となり、且つ前記伸張状態と前記収縮状態との間において伸縮可能となるためのカバー開閉伸縮手段を備えている
ことを特徴とする請求項１ないしは請求項３の何れかに記載の電源部着脱型電子機器。
【請求項５】
前記カバーは、第１カバーと、前記第１カバーに設けられる第２カバーと、を備えており、
前記カバー開閉伸縮手段は、前記第１カバーに設けられた第１カバー回転部と、前記第１カバーと前記第２カバーとの間に設けられたカバースライド機構又はカバー間回転部を備えており、前記第１カバー回転部の周りで前記第１カバーが前記第２カバーと共に回転することで、前記カバーを開閉させ、前記第２カバーが前記第１カバーに対してスライドし又は前記カバー間回転部の周りで回転し、前記第２カバーの少なくとも一部が前記第１カバーに収納されることで、前記カバーを収縮させる
ことを特徴とする請求項４に記載の電源部着脱型電子機器。
【請求項６】
前記ケースは、ベースと、それに入る引き出しと、を備えており、
前記伸縮手段は、前記ベースと前記引き出しとの間に介装されたスライド機構を含んでおり、
前記カバーは、前記ベースに設けられる第１カバーと、前記引き出しに設けられる第２カバーと、を備えており、
前記カバー開閉伸縮手段は、前記第１カバーと前記ベースの間に設けられた第１カバー回転部と、前記第２カバーと前記引き出しとの間に設けられた第２カバー回転部と、を備えており、前記第１カバー回転部の周りで前記第１カバーが回転すると共に前記第２カバー回転部の周りで前記第２カバーが回転することで、前記カバーを開閉させ、前記引き出しが前記第２カバーと共に前記ベースに入って前記第２カバーと前記第１カバーとが互いに重なることで、前記カバーを収縮させる
ことを特徴とする請求項４に記載の電源部着脱型電子機器。
【請求項７】
前記カバーは、巻き取り可能な膜体であるシャッターを含んでおり、
前記カバー開閉伸縮手段は、前記シャッターの巻き取りを行う巻き取り手段を含んでいる
ことを特徴とする請求項４に記載の電源部着脱型電子機器。
【請求項８】
前記ケースは、ベースと、それに取付可能なカバーと、を備えており、
前記伸縮手段は、前記カバーに備えられた、前記ベースに対する複数箇所の取付部を含んでおり、前記ベースに取り付けられる前記取付部の変更により、前記ケースを伸縮させる
ことを特徴とする請求項１又は請求項２に記載の電源部着脱型電子機器。
【請求項９】
前記ケースは、ベースと、それに連結されるカバーと、を備えており、
前記伸縮手段は、前記ベース又は前記カバーの一方に形成された溝部と、前記溝部に入るように前記ベース又は前記カバーの他方に形成された突起と、を有しており、前記突起が前記溝部を相対的に辿ることにより、前記ケースを伸縮させる
ことを特徴とする請求項１又は請求項２に記載の電源部着脱型電子機器。
【請求項１０】
前記伸縮手段は、前記突起が前記溝部を相対的に辿ると共に前記突起の周りで前記カバーが回転することにより、前記ケースを伸縮させる
ことを特徴とする請求項９に記載の電源部着脱型電子機器。
【請求項１１】
前記ケースは、ベースと、前記ベースに連結される第１カバーと、前記第１カバーに連結される第２カバーと、を備えており、
前記伸縮手段は、前記ベース又は前記第１カバーの一方に形成された第１溝部と、前記第１溝部に入るように前記ベース又は前記第１カバーの他方に形成された第１突起と、前記第１カバー又は前記第２カバーの一方に形成された第２溝部と、前記第２溝部に入るように前記第１カバー又は前記第２カバーの他方に形成された第２突起と、を有しており、前記第１カバーに対する前記第２カバーの姿勢が変更された状態で前記第１カバーが前記ベースに対して姿勢変化することにより、前記ケースを伸縮させる
ことを特徴とする請求項１又は請求項２に記載の電源部着脱型電子機器。
【発明の詳細な説明】
【技術分野】
【０００１】
本発明は、電源部を着脱可能な電子機器である電源部着脱型電子機器に関する。
【背景技術】
【０００２】
電源部着脱型電子機器の一例である電源部分離型ブースタ装置として、特開２００１−１６８７４９号公報（特許文献１）に記載のものが知られている。
この装置は、互いに別体であってそれぞれ筐体を有する電源部と増幅部とが、各筐体に付設された掛合手段により、結合したり分離したりするものである。電源部は、防水のため室内に設置することを要し、増幅部は、テレビ受像機やアンテナの位置関係ないし配線レイアウトにより、室内に設置されたり、屋外のアンテナ近傍等に設置されたりする。増幅部も室内に設置する場合に、電源部と増幅部を結合すれば、装置が一体となる。他方、増幅部を室外に設置する場合には、電源部と増幅部を分離して対応することができる。
【先行技術文献】
【特許文献】
【０００３】
【特許文献１】特開２００１−１６８７４９号公報
【発明の概要】
【発明が解決しようとする課題】
【０００４】
上記の装置では、互いに別体である電源部と増幅部とが結合するため、結合時に２つの筐体が並ぶこととなり、結合時の一体感の向上に限界がある。
又、一体感を向上するため、増幅部の筐体を拡大して電源部の収容スペースを確保すると、増幅部がその分コンパクトではなくなる。
そこで、本発明の主な目的は、コンパクトであり、電源部装着時においても高い一体感が得られる電源部着脱型電子機器を提供することである。
【課題を解決するための手段】
【０００５】
上記目的を達成するために、請求項１に記載の発明は、電源部と、前記電源部を着脱可能なケースと、を備えており、前記ケースは、前記電源部が装着されるスペースである電源部装着スペースを有する伸張状態と、前記電源部装着スペースが減少することで前記ケースの外形が収縮する収縮状態と、の間において伸縮するための伸縮手段を備えていることを特徴とするものである。
上記目的を達成するために、請求項２に記載の発明は、電源部を着脱可能なケースを備えており、前記ケースは、前記電源部が装着されるスペースである電源部装着スペースを有する伸張状態と、前記電源部装着スペースが減少することで前記ケースの外形が収縮する収縮状態と、の間において伸縮するための伸縮手段を備えていることを特徴とするものである。
【０００６】
請求項３に記載の発明は、上記発明において、前記ケースは、ベースと、それに入る引き出しと、を備えており、前記伸縮手段は、前記ベースと前記引き出しとの間に介装されたスライド機構を含んでいることを特徴とするものである。
請求項４に記載の発明は、上記発明において、前記ケースは、カバーを備えており、前記カバーは、前記伸張状態及び前記収縮状態において開閉可能となり、且つ前記伸張状態と前記収縮状態との間において伸縮可能となるためのカバー開閉伸縮手段を備えていることを特徴とするものである。
請求項５に記載の発明は、上記発明において、前記カバーは、第１カバーと、前記第１カバーに設けられる第２カバーと、を備えており、前記カバー開閉伸縮手段は、前記第１カバーに設けられた第１カバー回転部と、前記第１カバーと前記第２カバーとの間に設けられたカバースライド機構又はカバー間回転部を備えており、前記第１カバー回転部の周りで前記第１カバーが前記第２カバーと共に回転することで、前記カバーを開閉させ、前記第２カバーが前記第１カバーに対してスライドし又は前記カバー間回転部の周りで回転し、前記第２カバーの少なくとも一部が前記第１カバーに収納されることで、前記カバーを収縮させることを特徴とするものである。
請求項６に記載の発明は、上記発明において、前記ケースは、ベースと、それに入る引き出しと、を備えており、
前記伸縮手段は、前記ベースと前記引き出しとの間に介装されたスライド機構を含んでおり、前記カバーは、前記ベースに設けられる第１カバーと、前記引き出しに設けられる第２カバーと、を備えており、前記カバー開閉伸縮手段は、前記第１カバーと前記ベースの間に設けられた第１カバー回転部と、前記第２カバーと前記引き出しとの間に設けられた第２カバー回転部と、を備えており、前記第１カバー回転部の周りで前記第１カバーが回転すると共に前記第２カバー回転部の周りで前記第２カバーが回転することで、前記カバーを開閉させ、前記引き出しが前記第２カバーと共に前記ベースに入って前記第２カバーと前記第１カバーとが互いに重なることで、前記カバーを収縮させることを特徴とするものである。
請求項７に記載の発明は、上記発明において、前記カバーは、巻き取り可能な膜体であるシャッターを含んでおり、前記カバー開閉伸縮手段は、前記シャッターの巻き取りを行う巻き取り手段を含んでいることを特徴とするものである。
【０００７】
請求項８に記載の発明は、上記発明において、前記ケースは、ベースと、それに取付可能なカバーと、を備えており、前記伸縮手段は、前記カバーに備えられた、前記ベースに対する複数箇所の取付部を含んでおり、前記ベースに取り付けられる前記取付部の変更により、前記ケースを伸縮させることを特徴とするものである。
請求項９に記載の発明は、上記発明において、前記ケースは、ベースと、それに連結されるカバーと、を備えており、前記伸縮手段は、前記ベース又は前記カバーの一方に形成された溝部と、前記溝部に入るように前記ベース又は前記カバーの他方に形成された突起と、を有しており、前記突起が前記溝部を相対的に辿ることにより、前記ケースを伸縮させることを特徴とするものである。
請求項１０に記載の発明は、上記発明において、前記伸縮手段は、前記突起が前記溝部を相対的に辿ると共に前記突起の周りで前記カバーが回転することにより、前記ケースを伸縮させることを特徴とするものである。
請求項１１に記載の発明は、上記発明において、前記ケースは、ベースと、前記ベースに連結される第１カバーと、前記第１カバーに連結される第２カバーと、を備えており、前記伸縮手段は、前記ベース又は前記第１カバーの一方に形成された第１溝部と、前記第１溝部に入るように前記ベース又は前記第１カバーの他方に形成された第１突起と、前記第１カバー又は前記第２カバーの一方に形成された第２溝部と、前記第２溝部に入るように前記第１カバー又は前記第２カバーの他方に形成された第２突起と、を有しており、前記第１カバーに対する前記第２カバーの姿勢が変更された状態で前記第１カバーが前記ベースに対して姿勢変化することにより、前記ケースを伸縮させることを特徴とするものである。
【発明の効果】
【０００８】
本発明の主な効果は、コンパクトであり、電源部装着時においても高い一体感が得られる電源部着脱型電子機器を提供することができることである。
【図面の簡単な説明】
【０００９】
【図１】本発明の第１形態に係るブースタ装置の斜視説明図である。
【図２】図１における電源部の前面図である。
【図３】図１における増幅部ないし電源部の回路図である。
【図４】図３において電源部を分離した場合の回路図である。
【図５】本発明の第２形態に係るブースタ装置の斜視説明図である。
【図６】本発明の第３形態に係るブースタ装置の内部機構が省略された斜視説明図である。
【図７】本発明の第４形態に係るブースタ装置の増幅部ないし電源部の回路図である。
【図８】図７において電源部を分離した場合の回路図である。
【図９】本発明の第５形態に係る光受信機の前面図である。
【図１０】図９の下面図である。
【図１１】図９の右面図である。
【図１２】図１１のＬ−Ｌ断面図である。
【図１３】図９における光／電気信号処理部ないし電源部のブロック図である。
【図１４】図９における回路図である。
【図１５】図１４において電源部を分離した場合の回路図である。
【図１６】本発明の第６形態に係るブースタ装置の収縮状態における斜視図である。
【図１７】図１６の（ａ）上面図，（ｂ）左面図，（ｃ）前面図，（ｄ）右面図，（ｅ）後面図，（ｆ）下面図である。
【図１８】本発明の第６形態に係るブースタ装置の伸張状態における斜視図である。
【図１９】図１８の（ａ）上面図，（ｂ）左面図，（ｃ）前面図，（ｄ）右面図，（ｅ）後面図，（ｆ）下面図である。
【図２０】本発明の第７形態に係るブースタ装置の収縮状態における斜視図である。
【図２１】図２０の（ａ）上面図，（ｂ）左面図，（ｃ）前面図，（ｄ）右面図，（ｅ）後面図，（ｆ）下面図である。
【図２２】本発明の第７形態に係るブースタ装置の伸張途中における斜視図である。
【図２３】図２２の（ａ）上面図，（ｂ）左面図，（ｃ）前面図，（ｄ）右面図，（ｅ）後面図，（ｆ）下面図である。
【図２４】本発明の第７形態に係るブースタ装置の伸張状態における斜視図である。
【図２５】図２４の（ａ）上面図，（ｂ）左面図，（ｃ）前面図，（ｄ）右面図，（ｅ）後面図，（ｆ）下面図である。
【図２６】本発明の第８形態に係るブースタ装置の収縮状態における斜視図である。
【図２７】図２６の（ａ）上面図，（ｂ）左面図，（ｃ）前面図，（ｄ）右面図，（ｅ）後面図，（ｆ）下面図である。
【図２８】本発明の第８形態に係るブースタ装置の伸張状態における斜視図である。
【図２９】図２８の（ａ）上面図，（ｂ）左面図，（ｃ）前面図，（ｄ）右面図，（ｅ）後面図，（ｆ）下面図である。
【図３０】本発明の第９形態に係るブースタ装置の収縮状態における斜視図である。
【図３１】図３０の（ａ）上面図，（ｂ）左面図，（ｃ）前面図，（ｄ）右面図，（ｅ）後面図，（ｆ）下面図である。
【図３２】本発明の第９形態に係るブースタ装置の伸張状態における斜視図である。
【図３３】図３２の（ａ）上面図，（ｂ）左面図，（ｃ）前面図，（ｄ）右面図，（ｅ）後面図，（ｆ）下面図である。
【発明を実施するための形態】
【００１０】
以下、本発明に係る実施の形態やその変更例が、適宜図面に基づいて説明される。
当該形態や変更例における前後上下左右等は、説明の便宜上定められたものであり、左右は、前側から向かってみた場合のものとしているところ、前後上下左右等は、設置の準備や設置態様、ないしは各部の移動等に応じ、変化することがある。
又、本発明は、当該形態や変更例に限定されない。
【００１１】
≪第１形態≫
図１は本発明の実施の第１形態に係る電源部着脱型電子機器あるいは電源部着脱型信号送受信機，電源部着脱型放送信号送受信機の一例としてのブースタ装置１の斜視説明図であり、図２はブースタ装置１における電源部６の前面図である。
ブースタ装置１は、ケース２と、増幅部４と、着脱可能な電源部６と、を備えており、アンテナＡＮＴからの信号を増幅して、テレビ受像器ＴＶに伝えるものである。
【００１２】
ケース２には、増幅部４が入っており、又電源部６が着脱される。
ケース２は、ベース１０と、第１カバー１２と、引き出し１４と、第２カバー１６と、を備えている。第１カバー１２及び第２カバー１６により、カバー１８が構成される。
ベース１０は、２面（前面及び下面）が開放された箱状である。
第１カバー１２は、ベース１０の開放された一面（前面）を閉塞したり開放したりするもので、２面（閉塞時後面及び下面）が開放された箱状であり、ベース１０の外側に配置されている。第１カバー１２における左面の後上部と右面の後上部には、それぞれベース１０に達するピン２０（第１カバー回転軸，第１カバー回転部）が通されており、第１カバー１２が、左右方向の周りで回転移動して、ベース１０を閉塞したり開放したりするようになっている。
引き出し１４は、２面（前面及び上面）が開放された箱状であり、ベース１０の内側に配置されている。引き出し１４の左右外面には、上下方向に延びるレール２２が設けられており、ベース１０の左右内面には、レール２２を受け入れるガイド２４が設けられている。引き出し１４は、レール２２がガイド２４内を相対的にスライドすることにより、図１の状態即ち伸張状態から、ベース１０に収まる収納状態まで、上下方向にスライド可能である。尚、レール２２とガイド２４は逆に設けられても良いし、レール２２とガイド２４以外のスライド機構が用いられても良い。
第２カバー１６は、３面（左面，前面及び右面）を有する折り曲げ板状の部材であり、第１カバー１２の内側において、上下方向にスライド可能に設けられる。第２カバー１６の左右外面と、第１カバー１２の左右内面との間には、図示されないカバースライド機構が設けられる。第２カバー１６は、伸張状態の引き出し１４の上面を閉塞可能であり又開放可能であり、更に、収納状態の引き出し１４の上面を、引き出し１４の下端部と第２カバー１６の下端部とが揃った状態で閉塞可能である。
【００１３】
増幅部４は、ケース２における引き出し１４内に配置されており、増幅部回路３０を有している。尚、伸張状態の引き出し１４内における増幅部４の一部がベース１０内に張り出していても良いし、増幅部４がベース１０側に配置されていても良い。
図３，図４に示されるように、増幅部回路３０は、それぞれ一部が引き出し１４の下面から露出している信号入力端子３２及び増幅部信号出力端子３４（例えばそれぞれＦ型コネクタ）と、これらを結ぶ内部配線３６と、を有している。
内部配線３６には、増幅回路４０と、これより増幅部信号出力端子３４側に配置された電源カットコンデンサ４１と、が接続されている。又、内部配線３６における電源カットコンデンサ４１と増幅部信号出力端子３４との間の箇所には、内部配線４２の一端が接続されており、内部配線４２においては、チョークコイル４３及びダイオード４４が直接に接続されている。ダイオード４４は、チョークコイル４３から増幅回路４０への電流を許容し、逆方向の電流を阻止する。
又、増幅部４は、増幅部回路３０と電源部６とを電気的に接続するための、信号入力端子兼電源出力端子受け入れプラグ４５、及び電源部信号出力端子受け入れプラグ４６を有している。内部配線４２の他端は、増幅回路４０と信号入力端子兼電源出力端子受け入れプラグ４５を結ぶ内部配線に接続されている。
更に、信号入力端子３２には、アンテナＡＮＴからのアンテナケーブル４７が、プラグ４８を介して接続される。
【００１４】
電源部６は、直方体状の電源部筐体５０内に、電源部回路５２を有している。
電源部回路５２は、それぞれ一部が電源部筐体５０の下面から露出している信号入力端子兼電源出力端子５４及び電源部信号出力端子５６（例えばそれぞれＦ型コネクタ）と、これらを結ぶ内部配線５８と、を有している。
内部配線５８には、電源カットコンデンサ６０が接続されている。又、信号入力端子兼電源出力端子５４と電源カットコンデンサ６０との間に対して、チョークコイル６１を介して、電源回路６２が接続されている。電源回路６２には、電源ＡＣコード６６が接続されている。電源ＡＣコード６６の大部分は、電源部筐体５０から出ている。
電源部６は、ケース２の引き出し１４が伸張状態である場合に形成されるベース１０や引き出し１４内のスペース（電源部装着スペース）に入れることで、ケース２に装着することができる。装着時、電源部筐体５０はベース１０内に配置され、電源ＡＣコード６６は引き出し１４内（増幅部４の右方に形成されたスペース内）に配置される。装着時には、第１カバー１２を第２カバー１６と共に開くことで、電源部６がベース１０や引き出し１４内に進入可能となり、装着後には、第１カバー１２を閉じると共に第２カバー１６を下方へスライドさせることで、電源部筐体５０並びに電源ＡＣコード６６及び増幅部４が覆われる。尚、電源部装着スペースは、伸張状態におけるベース１０のみに設けられても良いし、引き出し１４のみに設けられても良い。
【００１５】
電源部６がケース２に装着された場合（図３）、増幅部４の信号入力端子兼電源出力端子受け入れプラグ４５は、電源部６の信号入力端子兼電源出力端子５４を受け入れてこれと接続される。この接続により、増幅部回路３０に電力（例えばＤＣ１５Ｖ（ボルト））が供給される。尚、増幅部４の電源部信号出力端子受け入れプラグ４６は、電源部信号出力端子５６を受け入れるところ、電源部信号出力端子受け入れプラグ４６は増幅部回路３０の他の要素と電気的に接続されず、実質的には増幅部回路３０に属していないため、電源部信号出力端子受け入れプラグ４６と電源部信号出力端子５６との電気的な接続は不要である。
又、増幅部信号出力端子３４には、信号を次段（ここではテレビ受像機ＴＶ）に伝達するためのケーブル７０が接続される。ケーブル７０の一端には、プラグ７２（例えばＦ型プラグ）が設けられている。
【００１６】
他方、電源部６がケース２から外され分離して用いられる場合、第１カバー１２を第２カバー１６と共に開くことで露出した電源部６が取り出され、電源部６の装着用のスペース（電源部装着スペース）が、引き出し１４を上方にスライドして収納状態とすることにより、増幅部４で埋められ（電源部装着スペースがなくなるように収縮され）、増幅部４が、上方へスライドされた状態の第２カバー１６と重なる第１カバー１２の回転により閉塞される。ケース２は、引き出し１４のベース１０への収納、ないし第２カバー１６の第１カバー１２への収納により、上下方向において収縮し、収縮状態となって、電源部６を受け入れる状態である伸張状態より外形が小さくなる。
この場合（図４）、増幅部信号出力端子３４と信号入力端子兼電源出力端子５４とが、長い渡り線７４により接続される。渡り線７４は、各端部において、コネクタ７６，７８（例えばＦ型防水ジョイントコネクタ）を有している。
又、電源部信号出力端子５６に、信号を次段に伝達するケーブル７０が接続される。
尚、この場合、増幅部４の信号入力端子兼電源出力端子受け入れプラグ４５や電源部信号出力端子受け入れプラグ４６には、何も接続されない。
【００１７】
かようなブースタ装置１により、電源部６の装着時（図３）において、電源回路６２の出力電力は、チョークコイル６１を介し、内部配線５８や信号入力端子兼電源出力端子５４を経て増幅部回路３０に至り、信号入力端子兼電源出力端子受け入れプラグ４５を経て増幅回路４０に供給される。更に、出力電力は、電源カットコンデンサ４１やダイオード４４により、増幅部４の増幅部信号出力端子３４側には供給されず、又電源カットコンデンサ６０により、電源部信号出力端子５６には供給されない。尚、この場合、電源部信号出力端子５６は用いられない。
他方、電源部６の分離時（図４）において、電源部６の出力電力は、チョークコイル６１を介し、内部配線５８，信号入力端子兼電源出力端子５４，渡り線７４を経て増幅部回路３０に至り、増幅部信号出力端子３４からチョークコイル４３及びダイオード４４を経て増幅回路４０に供給される。尚、信号入力端子兼電源出力端子受け入れプラグ４５にも電力が供給されるところ、信号入力端子兼電源出力端子受け入れプラグ４５はこの場合においては使用されないため、問題を生じない。
【００１８】
又、電源部６の装着時（図３）において、アンテナＡＮＴで受信されたテレビ信号は、アンテナケーブル４７を介して増幅部回路３０に入り、増幅回路４０で増幅されて、電源カットコンデンサ４１を介して、増幅部信号出力端子３４からケーブル７０を介しテレビ受像機ＴＶに入力される。テレビ信号は、高周波信号であるから、電源カットコンデンサ４１を通過し、チョークコイル４３，６１には流れない。
他方、電源部６の分離時（図４）において、テレビ信号は、アンテナケーブル４７を介して増幅部回路３０に入り、増幅回路４０で増幅されて、電源カットコンデンサ４１，増幅部信号出力端子３４，渡り線７４，信号入力端子兼電源出力端子５４を介して電源部回路５２に至り、更に内部配線５８，電源カットコンデンサ６０，電源部信号出力端子５６，ケーブル７０を介しテレビ受像機ＴＶに入力される。テレビ信号は、高周波信号であるから、電源カットコンデンサ４１，６０を通過し、チョークコイル４３，６１には流れない。
【００１９】
以上のブースタ装置１は、電源部６と、電源部６を着脱可能なケース２と、を備えており、ケース２は、電源部６が装着されるスペースである電源部装着スペースを有する伸張状態と、その電源部装着スペースが減少することでケース２の外形が収縮する収縮状態と、の間において伸縮するためのレール２２及びガイド２４を備えている。よって、伸張状態としたケース２の電源部装着スペースに電源部６が装着されれば、共通のケース２内に電源部６と増幅部４を配置することができ、高い一体感が得られる。又、電源部６が分離された場合、レール２２をガイド２４内でスライドさせてベース１０に引き出し１４を収納し、電源部装着スペースを減少させれば、その分だけケース２の外形が小さくなり、電源部６の分離時においてもブースタ装置１がコンパクトになる。
又、ブースタ装置１は、電源部６を着脱可能なケース２を備えており、ケース２は、電源部６が装着されるスペースである電源部装着スペースを有する伸張状態と、電源部装着スペースが減少することでケース２の外形が収縮する収縮状態と、の間において伸縮するためのレール２２及びガイド２４を備えている。よって、伸張状態において高い一体感が得られるように電源部６を受け入れ可能で、電源部６を受け入れない収縮状態においてコンパクトであるケース２を有するブースタ装置１を提供することができる。
【００２０】
更に、ケース２は、ベース１０と、それに入る引き出し１４と、を備えており、レール２２及びガイド２４は、ベース１０と引き出し１４との間に介装されたスライド機構である。よって、ケース２の伸縮がシンプルに実現される。
又、ケース２は、カバー１８を備えており、カバー１８は、伸張状態及び収縮状態において開閉可能となり、且つ伸張状態と収縮状態との間において伸縮可能となるためのカバー開閉伸縮手段（回転による開閉のためのピン２０及びカバースライド機構）を備えている。よって、電源部６の装着や、増幅部４を始めとする内部機構へのアクセスについて、第１カバー１２及び第２カバー１６を開けることで容易化しながら、内部機構や装着した電源部６について、第１カバー１２及び第２カバー１６を閉じることにより保護することができる。
加えて、カバー１８は、第１カバー１２と、第１カバー１２に設けられる第２カバー１６と、を備えており、カバー開閉伸縮手段は、第１カバー１２に設けられた第１カバー回転部（ピン２０）と、第１カバー１２と第２カバー１６との間に設けられたカバースライド機構を備えており、ピン２０の周りで第１カバー１２が第２カバー１６と共に回転することで、カバー１８を開閉させ、第２カバー１６が第１カバー１２に対してスライドし、第２カバー１６が第１カバー１２に収納されることで、カバー１８を収縮させる。よって、伸縮するカバー１８がシンプルに実現される。
又、ブースタ装置１は、信号送受信機，放送信号送受信機であるから、ＴＶ受像機やアンテナ等の配置あるいはアンテナ配線（信号配線）や電源配線の効率化ないし美観化といった状況に応じて、適宜電源部を装着しあるいは分離することを可能としながら、装着時の一体感並びに分離時のコンパクトさを確保することができる。
【００２１】
尚、第１形態が適宜変更されて成る、本発明の他の形態（変更例）が例示される。
各種の端子が増減されたり、各種の端子が下側ではなく前側に配置されたり、電源部６が左側に配置されたり、Ｆ型コネクタが他の形式のコネクタとされたり、増幅部４が電源部６より小さくされたりする等、各種の部材や部分に係る個数や配置、形式、大きさ等は、適宜変更されても良い。
ピン２０が上後部の左右ではなく左前部の上下に配置され、第１カバー１２が左辺の周りで回転するものとされても良く、第１カバー１２が他の辺の周りで回転するものとされても良い。第１カバー１２が、ベース１０に、スライド移動可能に設けられて、スライド移動により開閉しても良い。
【００２２】
第１カバー１２と第２カバー１６との間に、カバー間回転軸（カバー間回転部）が設けられるようにして、第２カバー１６が、第１カバー１２に対して、大部分が重なる位置からそうではない位置までにわたり回転するものとされても良い。即ち、カバー１８は、第１カバー１２と、第１カバー１２に設けられる第２カバー１６と、を備えており、カバー開閉伸縮手段は、第１カバー１２に設けられたピン２０と、第１カバー１２と第２カバー１６との間に設けられたカバー間回転部を備えており、その第１カバー回転部の周りで第１カバー１２が第２カバー１６と共に回転することで、カバー１８を開閉させ、第２カバー１６が第１カバー１２に対してカバー間回転部の周りで回転し、第２カバー１６の大部分が第１カバー１２に対し折り畳まれ重なって収納されることで、カバー１８を収縮させる。この場合においても、伸縮するカバー１８がシンプルに実現される。尚、第２カバー１６は、第１カバー１２に対して、カバー間回転部周りの回転により、一部のみ重なっても良いし、全部が重なっても良い。各種の回転部（第１カバー回転部，カバー間回転部等）は、ピンや突起等の回転軸に限られず、他より薄く線状に形成された線状薄化部等とされても良く、以下同様である。
又、電源部６の分離時に、第２カバー１６を第１カバー１２から切り離すことで、カバー１８が縮むものとされても良い。この場合、切り離し後に再度電源部６を装着するときには、第２カバー１６を接着しない限り内部機構が一部露出することとなるものの、引き出し１４のベース１０への収納に応じてカバー１８も収縮することとなる。この場合においては、第２カバー１６と第１カバー１２との間にスライド機構が配置されなくても良く、又第２カバー１６及び第１カバー１２が一体に形成されていても良く、一体形成時において、第２カバー１６に相当する部分と第１カバー１２に相当する部分の境目に、断続的なスリットや薄肉部や目印線やこれらの組合せといった切断誘導線が形成されても良い。
【００２３】
第１カバー１２及びベース１０の少なくとも一方が、シール部材（例えば線状の弾性体）を有するようにし、第１カバー１２を閉じた際に防水や防塵が施されるようにしても良く、同様に第２カバー１６及び引き出し１４の少なくとも一方がシール部材を有していても良い。
伸縮機構やカバーの伸縮機構は、蛇腹であっても良い。
本発明は、ブースタ装置１以外の電子機器（信号送受信機，放送信号送受信機）に適用されても良い。
【００２４】
≪第２形態≫
図５は、本発明の実施の第２形態に係るブースタ装置１０１の斜視説明図である。
第２形態のブースタ装置１０１は、第２カバーの構成を除き、第１形態のブースタ装置１と同様に成る。第１形態と同様の部分や部材には、同じ符号が付されて、適宜説明が省略される。
【００２５】
ブースタ装置１０１のケース１０２のカバー１１８における第２カバー１１６は、第１カバー１２にではなく、引き出し１４の前下部に設けられている。
引き出し１４と第２カバー１１６の間には、ピン１２１（第２カバー回転軸，第２カバー回転部）が設けられている。第２カバー１１６は、ピン１２１の周りであって左右方向の周りで回転可能であり、引き出し１４の前下部を覆う位置から、その前下部を開放する上方ないし下方の位置まで、回転移動可能である。
【００２６】
第２カバー１１６を閉じた状態で引き出し１４がベース１０に収納されると、第２カバー１１６も、第１カバー１２の後側において、第１カバー１２と前後に重なった状態で収納され、カバー１１８が収縮することとなる。ケース１０２の収縮状態では、第１カバー１２によってベース１０ないし引き出し１４が閉塞される。
他方、引き出し１４が伸張状態である場合、第１カバー１２の下方において引き出し１４下部前側の開放部分が位置するところ、その開放部分に対して第２カバー１１６が閉塞可能に移動することができる。
【００２７】
第２形態のブースタ装置１０１のケース１０２は、ベース１０と、それに入る引き出し１４と、を備えており、ベース１０と引き出し１４を伸縮する手段として、ベース１０と引き出し１４との間に介装されたレール２２及びガイド２４が設けられており、カバー１１８は、ベース１０に設けられる第１カバー１２と、引き出し１４に設けられる第２カバー１１６と、を備えており、カバー１１８を開閉させ伸縮させる手段は、第１カバー１２とベース１０の間に設けられたピン２０（第１カバー回転部）と、第２カバーと１１６と引き出し１４との間に設けられたピン１２１（第２カバー回転部）と、を備えており、ピン２０の周りで第１カバー１２が回転すると共にピン１２１の周りで第２カバー１１６が回転することで、カバー１１８を開閉させ、引き出し１４が第２カバー１１６と共にベース１０に入って第２カバー１１６と第１カバー１２とが互いに重なることで、カバー１８を収縮させる。よって、伸縮するカバー１１８付きのケース１０２がシンプルに実現される。
尚、第２形態においても、第１形態と同様の変更例が存在する。又、第２形態において、ピン１２１が下部の左右ではなく左部の上下に配置され、第２カバー１１６が左辺の周りで回転するものとされても良く、第２カバー１１６が他の辺の周りで回転するものとされても良い。
【００２８】
≪第３形態≫
図６は、本発明の実施の第３形態に係るブースタ装置２０１の斜視説明図である。
第３形態のブースタ装置２０１は、カバーの構成を除き、第１形態のブースタ装置１と同様に成る。第１形態と同様の部分や部材には、同じ符号が付されて、適宜説明が省略される。
【００２９】
ブースタ装置２０１は、第１形態のブースタ装置１と同様の内部構造ないし回路を有しており、その図示や説明が省略される。
ブースタ装置２０１のケース２０２のカバー２１８は、屈曲可能な屈曲部を、複数、互いに平衡である状態で有する膜状のシャッターである。尚、カバー２１８は、金属製であっても良いし、樹脂製であっても良いし、その他の材料で形成されていても良い。
ケース２０２のベース２１０は、第１形態のベース１０に対して、上部にカバー収納部２１１が追加されて成る。カバー収納部２１１内には、カバー巻き取り手段２１３が配置されている。カバー２１８は、カバー巻き取り手段２１３に接続されている。カバー巻き取り手段２１３は、カバー２１８を収縮するように巻き取り、又カバー２１８が伸張するように巻き取りを解除する。使用者は、カバー２１８の下辺部等を引っ張って、カバー２１８を引き出し、カバー２１８の下辺部等を押し込んで、カバー２１８を巻き取らせる。
ケース２０２の引き出し２１４は、第１形態の引き出し１４に対して、左右内面の前部に形成された上下方向に延びる一対のレール２１５が追加されて成る。カバー２１８の左右の辺部は、対応するレール２１５に入っており、カバー２１８は、レール２１５に沿って移動可能である。カバー２１８の屈曲部は、左右方向を向いている。
カバー２１８は、伸張状態の引き出し２１４の前側ないしベース２１０の前側を覆うことのできる長さを有している。又、カバー２１８は、カバー巻き取り手段２１３に巻かれることで、巻き取られていない部分における上下方向の長さが変化し、巻き取り量に応じて伸縮するものであると言える。カバー２１８は、収納状態の引き出し２１４の前側ないしベース２１０の前側を丁度覆う長さとなることができるし、ほぼ全量巻き取られることで引き出し２１４の前側ないしベース２１０の前側を開放する長さとなることができる。
カバー２１８は、下辺部に、他の部分より下方に突出したつまみ２１９を有している。
【００３０】
第３形態のブースタ装置２０１におけるケース２０２のカバー２１８は、巻き取り可能な膜体であるシャッターであり、カバー２１８を開閉させ伸縮させる手段は、カバー２１８の巻き取りを行うカバー巻き取り手段２１３である。よって、伸縮するカバー２１８付きのケース２０２がシンプルに実現される。
尚、第３形態においても、第１形態等と同様の変更例が存在する。又、第３形態において、カバー巻き取り手段２１３が上部ではなく左部に配置され、カバー２１８が左部へ巻き取られるものとされても良く、カバー巻き取り手段２１３が他の部分に配置されていても良い。
【００３１】
≪第４形態≫
図７，図８は、本発明の実施の第４形態に係るブースタ装置の回路図である。
第４形態のブースタ装置は、回路の構成ないし増幅部の端子の数を除き、第１形態のブースタ装置１と同様に成る。第１形態と同様の部分や部材には、同じ符号が付されて、適宜説明が省略される。
尚、第１形態の変更例や、第２形態，第３形態ないしそれらの変更例において、第４形態の回路や端子が用いられても良い。
【００３２】
増幅部回路２４１は、増幅回路２４２と、これにそれぞれ接続される第１信号入力端子２４４及び第２信号入力端子２４６と、コンデンサ２４８を介して増幅回路２４２と接続される増幅部信号出力端子２５０と、第１ダイオード２５２を介して増幅回路２４２と接続される信号入力端子兼電源出力端子受け入れプラグ２５３と、第１ダイオード２５２及び増幅回路２４２間の箇所から、コンデンサ２４８及び増幅部信号出力端子２５０の間の箇所までにわたる内部配線２５４と、内部配線１５４に直列に配置される第２ダイオード２５６及びコイル２５８と、を有している。
第１ダイオード２５２は、信号入力端子兼電源出力端子受け入れプラグ２５３から増幅回路２４２への電流を許容し、逆方向の電流を阻止する。尚、第１ダイオード２５２は、省略されても良い。
第２ダイオード２５６は、コイル２５８から増幅回路２４２への電流を許容し、逆方向の電流を阻止する。
又、第４形態の増幅部４は、後述の電源部信号出力端子２７６を受け入れる電源部信号出力端子受け入れプラグ２５９を有している。電源部信号出力端子受け入れプラグ２５９は、電源部信号出力端子２７６を物理的に受け入れるものの、増幅部回路２４１における他の要素には接続されておらず、実質的に増幅部回路２４１の構成要素ではない。
第１信号入力端子２４４，第２信号入力端子２４６，増幅部信号出力端子２５０は、それぞれ引き出し１４の下面から突出している。
第１信号入力端子２４４には、第１アンテナＵＨＦからのアンテナケーブル２６０が、プラグ２６２を介して接続される。
第２信号入力端子２４６には、第２アンテナＢＳからのアンテナケーブル２６４が、プラグ２６６を介して接続される。
尚、各アンテナないし信号の種類は、ＵＨＦやＢＳに限定されない。
【００３３】
電源部回路２７１は、電源回路２７２と、コイル２７３を介して電源回路２７２に接続される信号入力端子兼電源出力端子２７４と、コンデンサ２７５を介してコイル２７３及び信号入力端子兼電源出力端子２７４の間の箇所に接続される電源部信号出力端子２７６と、電源回路２７２に接続される電源ＡＣコード２７８と、を有している。
【００３４】
電源部６がケース２に装着される場合（図７）、増幅部信号出力端子２５０には、信号を次段（ここでは分波器２８０を介したテレビ受像機ＴＶ）に伝達するためのケーブル２８１が接続される。ケーブル２８１の一端には、増幅部信号出力端子２５０と接続されるプラグ２８２（例えばＦ型プラグ）が設けられている。
そして、この場合、増幅部４の信号入力端子兼電源出力端子受け入れプラグ２５３は、電源部６の信号入力端子兼電源出力端子２７４を受け入れてこれと接続される。この接続により、電源回路２７２の電力がコイル２７３，信号入力端子兼電源出力端子２７４，信号入力端子兼電源出力端子受け入れプラグ２５３，第１ダイオード２５２を介して増幅回路２４２に供給される。電力は、コンデンサ２７５により、電源部信号出力端子２７６や電源部信号出力端子受け入れプラグ２５９には供給されず、又コンデンサ２４８及び第２ダイオード２５６により、増幅部信号出力端子２５０ないしテレビ受像機ＴＶ側には供給されない。
又、第１アンテナＵＨＦや第２アンテナＢＳで受信されたテレビ信号は、増幅回路２４２でそれぞれ増幅され更に混合されてテレビ受像機ＴＶ側に至る。テレビ信号は、コンデンサ２４８を通過する一方、コイル２５８、及び第１ダイオード２５２（第１ダイオード２５２が省略された場合はコイル２７３）により、電源回路２７２には到達しない。
【００３５】
他方、電源部６がケース２から取り外される場合（図８）、コネクタ２８４，２８６を有する渡り線２８８によって、増幅部信号出力端子２５０と信号入力端子兼電源出力端子２７４が接続される。又、信号について分波器２８０を介してテレビ受像機ＴＶに伝達するためのケーブル２８１が、電源部信号出力端子２７６に接続される。
そして、この場合、電源回路２７２の電力がコイル２７３，信号入力端子兼電源出力端子２７４，コネクタ２８６，渡り線２８８，コネクタ２８４を経て増幅部回路２４１に達し、増幅部信号出力端子２５０，コイル２５８，第２ダイオード２５６を介して増幅回路２４２に供給される。電力は、コンデンサ２７５により、電源部信号出力端子２７６には供給されない。
又、第１アンテナＵＨＦや第２アンテナＢＳで受信されたテレビ信号は、増幅回路２４２でそれぞれ増幅され更に混合されて、増幅部信号出力端子２５０や渡り線２８８を介して電源部回路２７１に至り、信号入力端子兼電源出力端子２７４やコンデンサ２７５を経て、電源部信号出力端子２７６からテレビ受像機ＴＶ側に至る。尚、テレビ信号は、コイル２７３により、電源回路２７２には到達しない。
【００３６】
第４形態に係るアンテナ入力が複数存在するブースタ装置においても、電源部６を増幅部４と物理的に結合させる場合には、ケース２を伸張状態として電源部６の装着スペースを確保し、電源部６を増幅部４から離す場合には、ケース２を収縮状態として空いたスペースを縮めることができ、電源部６及び増幅部４の結合時において、共通のケース２への収容により一体感が得られるし、電源部６及び増幅部４の分離時において、ケース２をコンパクト化することができる。
尚、第４形態においても、第１形態等と同様の変更例が存在する。
【００３７】
≪第５形態≫
図９は、本発明の実施の第５形態に係る電源部着脱型電子機器あるいは電源部着脱型信号送受信機，電源部着脱型放送信号送受信機の一例としての光受信機３０１の前面図であり、図１０は、光受信機３０１の下面図であり、図１１は、光受信機３０１の右面図であり、図１２は、図１１のＬ−Ｌ線断面図である。
光受信機３０１は、ケース３０２と、光／電気信号処理部３０４と、着脱可能な電源部３０６と、を備えており、光伝送路における光信号を電気信号に変換し、適宜更にその電気信号を増幅して、テレビ受像器ＴＶ等に伝えるものである。
【００３８】
ケース３０２には、光／電気信号処理部３０４が入っており、又電源部３０６が着脱される。
ケース３０２は、第１形態のケース２と同様であり、ベース３１０と、第１カバー３１２と、引き出し３１４と、第２カバー３１６と、を備えている。第１カバー３１２及び第２カバー３１６により、カバー３１８が構成される。
引き出し３１４が伸張状態（図９〜図１２の状態）であると、ベース３１０内に、電源部３０６を装着するためのスペース（電源部装着スペース）が形成される。このとき、第２カバー３１６は、第１カバー３１２から延びて、引き出し３１４の前側を覆う。
他方、引き出し３１４が収縮して収納されると、光／電気信号処理部３０４を搭載した引き出し３１４が、ベース３１０内の電源部装着スペースに進入し、電源部装着スペースが埋められる。又、カバー３１８も、第２カバー３１６が第１カバー３１２に入るようにスライドして、引き出し３１４を覆う状態を維持しながら収縮する。即ち、ケース３１８が収縮し、ケース３１８の外形が小さくなる。
【００３９】
電源部３０６は、第１形態の電源部６と同様に成るため、同様の部分や部材には、同じ符号が付されて、適宜説明が省略される。
尚、図１２において、電源部３０６の内部機構は、電源部基板３１９の外形、並びに信号入力端子兼電源出力端子５４及び電源部信号出力端子５６のみが示され、電源部基板３１９における素子等は省略されている。
【００４０】
光／電気信号処理部３０４は、引き出し３１４内に配置されており、光信号処理回路３３０を有している。尚、光／電気信号処理部３０４は、上端部がベース３１０内に張り出しているところ、張り出さないように配置されても良い。
図１２〜図１５に示されるように、光信号処理回路３３０は、引き出し３１４内の前右下部に配置された映像入力端子３３１と、引き出し３１４の下端部にそれぞれ配置された、信号出力端子３３２及び出力測定端子３３３（例えばそれぞれＦ型端子）を有している。又、光信号処理回路３３０は、装着された電源部３０６の信号入力端子兼電源出力端子５４を受け入れる電源端子３３４と、電源部信号出力端子５６を受け入れる信号端子３３５と、を備えている。
【００４１】
映像入力端子３３１は、電源部３０６及び各種端子以外の光／電気信号処理部３０４（基板３０５）の前側に被せられる光ファイバトレイ（図示略）に載せられている。光ファイバトレイには、複数の光ファイバＦ１，Ｆ２が、曲率半径の大きい状態で収容される（光ファイバ収容部）。光ファイバＦ１，Ｆ２は、引き出し３１４の下端部に配置された光ケーブル引込口３３６（光入出力部）から導入され導出される。
出力測定端子３３３は、出力の測定を例えば−２０ｄＢにおいて行うために出力測定機器を接続する端子であり、機器接続時等に取り外し可能である防水キャップ３３７が装着されている。尚、図１２において、防水キャップ３３７は省略されている。又、図１２において、カバー３１８は省略されている。防水キャップ３３７、あるいはこれと出力測定端子３３３とは、省略されても良い。
【００４２】
映像入力端子３３１は、光／電気信号変換手段としてのフォトダイオード（ＰＤ）３３８と接続されている。ＰＤ３３８は、映像入力端子３３１に接続された光ファイバＦ１からの光信号（テレビ信号）を電気信号（テレビ信号）に変換する。
ＰＤ３３８には、増幅部３４０が接続されている。又、ＰＤ３３８と増幅部３４０との間には、オートマチックゲインコントロール（ＡＧＣ）制御部３４２が介装されている。ＡＧＣ制御部３４２は、ＰＤ３３８からの電気信号に基づいてゲインを制御してゲイン制御信号を増幅部３４０に送り、増幅部３４０は、その制御信号に応じたゲインにおいてＰＤ３３８からの電気信号を増幅する。ＡＧＣ制御部３４２には、ＡＧＣの状態を表示するＡＧＣ状態表示部としてのＬＥＤ３４５が接続されている。ＬＥＤ３４５、あるいはこれとＡＧＣ制御部３４２とは、省略されても良い。
増幅部３４０には、遠隔制御部３４６が接続されている。遠隔制御部３４６は、図示されない遠隔制御装置から送信された遠隔制御信号を処理して、その遠隔制御信号に従った電気信号の増幅を行わせるための沿革増幅制御信号を増幅部３４０に対して発信する。沿革制御部３４６には、遠隔制御の状態を表示する遠隔制御状態表示部としてのＬＥＤ３４８が接続されている。ＬＥＤ３４８、あるいはこれと遠隔制御部３４６とは、省略されても良い。
【００４３】
増幅部３４０には、アッテネータ（ＡＴＴ）３５０が接続されている。ＡＴＴ３５０は、増幅部３４０により増幅された電気信号につき、出力レベルが所定値となるように調整する。ここでの所定値は、複数のもの（例えば０ｄＢ，１５ｄＢ）の何れかに切替可能である。かような切替は、例えばスライドスイッチ（図示略）により行われる。
ＡＴＴ３５０には、分岐部３５２が接続されている。分岐部３５２は、入力側の電気信号をそのまま複数（２つ）に分けて出力する。
分岐部３５２の出力側の一方には、出力測定端子３３３が接続されている。
分岐部３５２の出力側の他方には、フィルタ３５４を介して信号出力端子３３２が接続されている。
フィルタ３５４は、電気信号と電力をフィルタリングするものであり、信号出力端子３３２に加えて電源端子３３４とも接続されている。
【００４４】
電源部３０６の装着時（図１４）において、電源端子３３４は、電源部３０６の信号入力端子兼電源出力端子５４と直接的に接続される（図１３における一点鎖線）。この場合、信号出力端子３３２には、ケーブル７０を介してセットトップボックス３６０経由でテレビ受像機ＴＶが接続される。
他方、電源部３０６の分離時（図１５）において、信号出力端子３３２は、第１形態と同様に、信号入力端子兼電源出力端子５４と接続される（図１３における点線）。この場合、電力は、電気信号と重畳して供給され、電源部信号出力端子５６に、セットトップボックス３６０ないしテレビ受像機ＴＶが接続される。
又、光ケーブル引込口３３６から導出された光ファイバＦ２には、メディアコンバータ３７０を介してコンピュータＰＣが通信可能に接続されている（図１２）。
【００４５】
第５形態の光受信機３０１は、電源部３０６と、電源部３０６を着脱可能なケース３０２と、を備えており、ケース３０２は、電源部３０６が装着されるスペースである電源部装着スペースを有する伸張状態と、電源部装着スペースが減少することでケース３１８の外形が収縮する収縮状態と、の間において伸縮するためのレール２２及びガイド２４を備えている。よって、電源部３０６を装着した状態においても高い一体感が得られ、又分離した状態ではケース３１８の収縮によりコンパクトになる。
又、電源部３０６を着脱可能なケース３０２を備えており、ケース３０２は、電源部３０６が装着されるスペースである電源部装着スペースを有する伸張状態と、電源部装着スペースが減少することでケース３１８の外形が収縮する収縮状態と、の間において伸縮するためのレール２２及びガイド２４を備えている。よって、伸張状態において高い一体感が得られるように電源部３０６を受け入れ可能で、電源部３０６を受け入れない収縮状態においてコンパクトであるケース３０２を有する光受信機１を提供することができる。
尚、第５形態においても、第１形態等と同様の変更例が存在する。又、第５形態において、光ファイバＦ２の導出や、メディアコンバータ３７０ないしコンピュータＰＣの設置は、省略されても良い。
【００４６】
≪第６形態≫
図１６は、本発明の実施の第６形態に係る電源部着脱型電子機器あるいは電源部着脱型信号送受信機，電源部着脱型放送信号送受信機の一例としてのブースタ装置４０１の収縮状態における斜視図であり、図１７は、ブースタ装置４０１の収縮状態における六面図であり、図１８は、ブースタ装置４０１の伸張状態における斜視図であり、図１９は、ブースタ装置４０１の伸張状態における六面図である。
第６形態のブースタ装置４０１は、ケースの構成及び増幅部の端子の数を除き、第４形態のブースタ装置と同様に成る。第４形態と同様の部分や部材には、同じ符号が付されて、適宜説明が省略される。
ブースタ装置４０１の増幅部４０４は、第２信号入力端子２４６と増幅部信号出力端子２５０の間に設けられた出力測定端子４４８が接続されていることを除き、第４形態の増幅部回路２４１と同様の増幅部回路を含んでいる。出力測定端子４４８には、出力を測定可能な出力測定器（図示略）が接続可能である。
【００４７】
ブースタ装置４０１のケース４０２は、ベース４１０と、カバー４１２と、を備えている。
ベース４１０は、２面（前面及び上面）が開放された箱状である。ベース４１０内に、増幅部４０４が入っている。ベース４１０の下面において、第１信号入力端子２４４、第２信号入力端子２４６、出力測定端子４４８及び増幅部信号出力端子２５０が貫通し、下方に突出している。
ベース４１０の左右各面の後上角部には、断面“Ｄ”字状の突起４１１が外側に突出している。各突起４１１の平面部は、前側となっている。尚、当該平面部は、後側あるいは上側，下側であっても良い。又、各突起４１１の断面形状は、“Ｄ”字状以外の回転非対称形状であっても良い。
カバー４１２は、ベース４１０の開放された面を閉塞したり開放したりするもので、２面（閉塞時後面及び下面）が開放された箱状であり、閉塞時にベース４１０の外側に配置されている。
カバー４１２の左右各面の後上角部には、断面円形の第１孔４１３（第１取付部）が開けられている。又、カバー４１２の左右各面の前下角部には、断面“Ｄ”字状の第２孔４１５（第２取付部）が開けられている。各第２孔４１５の平面部は、閉塞時後側となっている。
【００４８】
増幅部４０４が電源部６と分離して用いられる場合、図１６，図１７に示されるように、カバー４１２の各第１孔４１３内にベース４１０における対応する突起４１１が入り、ケース４０２が収縮状態となって、増幅部４０４がベース４１０とカバー４１２とで閉塞される。各第１孔４１３は断面円形であるため、カバー４１２は各突起４１１の周りで回転可能であり、当該回転によりベース４１０に対し開いて、増幅部４０４前面を露出させることができる。
増幅部４０４に電源部６を装着する場合、図１８，図１９に示されるように、カバー４１２は、一旦ベース４１０から取り外され、電源部６装着後、閉塞時と前後逆の姿勢とされ、各第２孔４１５内にベース４１０の対応する突起４１１が入るように取り付けられて、電源部６の前面及び下面以外を覆うようにされる。
このとき、ケース４０２は伸張状態であり、カバー４１２内が電源部装着スペースとなる。そして、断面“Ｄ”字状の各突起４１１が断面“Ｄ”字状の対応する第２孔４１５に入るため、カバー４１２が正しい姿勢で取り付けられるし、取り付け後のカバー４１２が各突起４１１の周りで回転する事態が防止される。又、カバー４１２が電源部６の上側を覆うため、万一電源部６が増幅部４０４から外れようとしても、カバー４１２が電源部６を押さえて食い止める。
ベース４１０の下面（右辺部）には、電源ＡＣコード６６を挿入可能なコード溝（図示略）が形成されており、電源部６装着時に電源ＡＣコード６６が通される。
電源部６装着時では、電源部６の防水を確保することに鑑み室内での使用となるため、電源部６や増幅部４０４の前方が開放されていても問題がなく、電源部６や増幅部４０４の前面にアクセスし易いために便利である。
【００４９】
第６形態のブースタ装置４０１のケース４０２は、ベース４１０と、それに取付可能なカバー４１２と、を備えており、ベース４１０とカバー４１２を伸縮する手段として、カバー４１２に備えられた、ベース４１０に対する第１孔４１３（第１取付部）と第２孔４１５（第２取付部）が設けられており、ベース４１０に取り付けられる箇所を第１孔４１３から第２孔４１５へ変更することにより、ケース４０２が伸縮する。よって、伸縮するケース４０２がシンプルに実現される。
尚、第６形態においても、第１形態等と同様の変更例が存在する。又、カバー４１２に複数の突起（ベース４１０に対する取付部）が設けられ、ベース４１０の凹部あるいは孔に何れかの箇所の突起が入れられても良い。
【００５０】
≪第７形態≫
図２０は、本発明の実施の第７形態に係る電源部着脱型電子機器あるいは電源部着脱型信号送受信機，電源部着脱型放送信号送受信機の一例としてのブースタ装置５０１の収縮状態における斜視図であり、図２１は、ブースタ装置５０１の収縮状態における六面図であり、図２２は、ブースタ装置５０１の伸張途中における斜視図であり、図２３は、ブースタ装置５０１の伸張途中における六面図であり、図２４は、ブースタ装置５０１の伸張状態における斜視図であり、図２５は、ブースタ装置５０１の伸張状態における六面図である。
第７形態のブースタ装置５０１は、ケースの構成を除き、第６形態のブースタ装置４０１と同様に成る。第６形態と同様の部分や部材には、同じ符号が付されて、適宜説明が省略される。
【００５１】
ブースタ装置５０１のケース５０２は、ベース５１０と、カバー５１２と、を備えている。
ベース５１０は、左右の面の後上角部における突起５１１が円盤状であることを除き、第６形態のベース４１０と同様に成る。
カバー５１２は、ベース５１０の開放された面を閉塞したり開放したりするもので、２面（後面及び下面）が開放された箱状であり、閉塞時にベース５１０の外側に配置され、ベース５１０に連結されている。
カバー５１２の左右各面の後上角部には、突起５１１と同径であって突起５１１を受け入れ可能な断面円形の孔５１３が開けられている。又、カバー５１２の左右の内面には、孔５１３の下側から下方に延び、更に僅かにカーブして下後方に延び、内面の下辺部において前方に折れ曲がって延びる溝部５１７が設けられている。各溝部５１７は互いに対称的であり、突起５１１と同幅であって突起５１１を受け入れ可能である。各溝部５１７の上端部であって、孔５１３の下側には、当該部分が浅くなるように内方へ突出し、前後に延びる第１乗り越え部５２１が設けられている。又、各溝部５１７の前方への折れ曲がり部における上側と前側には、順に前後に延びる第２乗り越え部５２３、上下に延びる第３乗り越え部５２５が形成されている。各溝部５１７の折れ曲がり部と第２乗り越え部５２３と第３乗り越え部５２５とで囲まれる部分は、突起５１１と同様な大きさとなっており、突起を受入可能である。第３乗り越え部５２５の前側（各溝部５１７の下端部）の部分も、同様に突起を受入可能である。
カバー５１２の上の内面であって、各孔５１３の上側には、下方に突出し左右に延びるリブ５３１が形成されている。又、カバー５１２の前の内面の上辺部には、それぞれ後方に突出する複数（３個）の凸部５３３が、左右に並べられている。
【００５２】
増幅部４０４が電源部６と分離して用いられる場合、図２０，図２１に示されるように、カバー５１２の各孔５１３内にベース４１０における対応する突起５１１が入り、ケース５０２が収縮状態となって、増幅部４０４がベース５１０とカバー５１２とで閉塞される。閉塞時、カバー５１２内面のリブ５３１及び各凸部５３３が増幅部４０４に近接しあるいは接触し、増幅部４０４のベース５１０からの離脱が防止される。又、カバー５１２は各孔５１３を介して各突起５１１の周りで回転可能であり、当該回転によりベース５１０に対し開いて、増幅部４０４前面を露出させることができる。当該回転は、各突起５１１が孔５１３内に入り、又各突起５１１が下側に移動しようとしてもその下側が第１乗り越え部５２１により保持されることにより、安定して行われる。
増幅部４０４に電源部６を装着する場合、まず、各突起５１１が孔５１３を脱して第１乗り越え部５２１を乗り越え、溝部５１７を相対的に（以下同様）辿って第２乗り越え部５２３を乗り越え、溝部５１７の折れ曲がり部と第２乗り越え部５２３と第３乗り越え部５２５とで囲まれる部分に入るように、カバー５１２が上方へスライドされる。次いで、図２２，図２３に示されるように、カバー５１２が、各突起５１１の周りで回転され、上部が下部より前方となる姿勢となるように傾けられる。当該回転は、各突起５１１が移動しようとしても第２乗り越え部５２３及び第３乗り越え部５２５により保持されることにより、安定して行われる。続いて、電源部６が増幅部４０４に上方から装着される。そして、図２４，図２５に示されるように、カバー５１２が直立姿勢に戻され、更に各突起５１１が第３乗り越え部５２５を乗り越えてその前側で保持されて、カバー５１２が電源部６の後面及び下面以外を覆うようにされる。このとき、カバー５１２内面のリブ５３１及び各凸部５３３が電源部６に近接しあるいは接触し、電源部６の増幅部４０４からの離脱が防止される。
【００５３】
第７形態のブースタ装置５０１のケース５０２は、ベース５１０と、それに連結されるカバー５１２と、を備えており、ベース５１０とカバー５１２を伸縮する手段として、カバー５１２に形成された各溝部５１７と、各溝部５１７に入るようにベース５１０に形成された突起５１１とが設けられており、各突起５１１が対応する溝部５１７を相対的に辿ることにより、ケース５０２を伸縮させる。よって、伸縮するケース５０２がシンプルに実現される。
尚、第７形態においても、第１形態等と同様の変更例が存在する。又、カバー５１２に突起が設けられ、ベース５１０に溝部が設けられても良い。
【００５４】
≪第８形態≫
図２６は、本発明の実施の第８形態に係る電源部着脱型電子機器あるいは電源部着脱型信号送受信機，電源部着脱型放送信号送受信機の一例としてのブースタ装置６０１の収縮状態における斜視図であり、図２７は、ブースタ装置６０１の収縮状態における六面図であり、図２８は、ブースタ装置６０１の伸張状態における斜視図であり、図２９は、ブースタ装置６０１の伸張状態における六面図である。
第８形態のブースタ装置６０１は、ケースの構成を除き、第６形態のブースタ装置４０１と同様に成る。第６形態と同様の部分や部材には、同じ符号が付されて、適宜説明が省略される。
【００５５】
ブースタ装置６０１のケース６０２は、ベース６１０と、カバー６１２と、を備えている。
ベース６１０は、２面（前面及び上面）が開放された箱状である。ベース６１０内に、増幅部４０４が入っている。ベース６１０の下面において、第１信号入力端子２４４、第２信号入力端子２４６、出力測定端子４４８及び増幅部信号出力端子２５０が貫通し、下方に突出している。又、ベース４１０の下面（右辺部）には、電源ＡＣコード６６を挿入可能なコード溝（図示略）が形成されている。
ベース６１０の左右各面の後上角部には、断面円形の突起６１１が外側に突出している。ベース６１０の後面外面の上辺部には、周囲部分に対して後方に突出するリブ６１３が、左右に延びるように形成されている。又、ベース６１０の後面外面の中央部には、上下が開放された箱状に後方に突出する載置部６１５が設けられている。
カバー６１２は、ベース６１０の開放された面を閉塞したり開放したりするもので、２面（閉塞時後面及び下面）が開放された箱状であり、閉塞時にベース６１０の外側に配置され、ベース６１０に連結されている。
カバー６１２の左右内面の後上角部には、閉塞時に前上から後下に延びており外方に窪む溝部６１７がそれぞれ形成されている。各溝部６１７は互いに対称的であり、突起６１１と同幅であって突起６１１を受け入れ可能である。
カバー６１２の閉塞時上の内面後辺部であって、各孔５１３の閉塞時上側には、閉塞時下方に突出し左右に延びるリブ６３１が形成されている。
【００５６】
増幅部４０４が電源部６と分離して用いられる場合、図２６，図２７に示されるように、各突起６１１が対応する溝部６１７の前上端部に位置しており、ケース６０２が収縮状態となって、増幅部４０４がベース６１０とカバー６１２とで閉塞される。又、カバー６１２は各溝部６１７の前上端部を介して各突起６１１の周りで回転可能であり、当該回転（９０°）によりベース６１０に対し開いて、増幅部４０４前面を露出させることができる。カバー６１２の開放時、前方に突出したカバー６１２のリブ６３１がベース６１０のリブ６１３に掛かり、カバー６１２の閉状態あるいは伸張状態への回転開始操作を妨げない状態で、カバー６１２の９０°回転状態が維持される。
増幅部４０４に電源部６を装着する場合、図２８，図２９に示されるように、各突起６１１が溝部６１７を辿り反対側端部へ位置するようにして、カバー６１２が各突起６１１の周りで１８０°回転し、ケース６０２が伸張状態となるようにする。カバー６１２の閉塞時上面は、伸張時に下面となり、ベース６１０の載置部６１５に載置される。そして、電源部６が増幅部４０４に上方から装着される。カバー６１２は、電源部６の上面及び下面以外を覆う。尚、カバー６１２の回転角度は、９０°あるいは１８０°以外であっても良い。
【００５７】
第８形態のブースタ装置６０１のケース６０２は、ベース６１０と、それに連結されるカバー６１２と、を備えており、ベース６１０とカバー６１２を伸縮する手段として、カバー６１２に形成された各溝部６１７と、各溝部６１７に入るようにベース６１０に形成された突起６１１とが設けられており、各突起６１１が対応する溝部６１７を相対的に辿ると共に各突起６１１の周りでカバー６１２が回転することにより、ケース６０２を伸縮させる。よって、伸縮するケース６０２がシンプルに実現される。
尚、第８形態においても、第１形態等と同様の変更例が存在する。又、カバー６１２に突起が設けられ、ベース６１０に溝部が設けられても良い。
【００５８】
≪第９形態≫
図３０は、本発明の実施の第９形態に係る電源部着脱型電子機器あるいは電源部着脱型信号送受信機，電源部着脱型放送信号送受信機の一例としてのブースタ装置７０１の収縮状態における斜視図であり、図３１は、ブースタ装置７０１の収縮状態における六面図であり、図３２は、ブースタ装置７０１の伸張状態における斜視図であり、図３３は、ブースタ装置７０１の伸張状態における六面図である。
第９形態のブースタ装置７０１は、ケースの構成を除き、第８形態のブースタ装置６０１と同様に成る。第８形態と同様の部分や部材には、同じ符号が付されて、適宜説明が省略される。
【００５９】
ブースタ装置７０１のケース７０２は、ベース７１０と、第１カバー７１２と、第２カバー７１４と、を備えている。
ベース７１０は、２面（前面及び上面）が開放された箱状である。ベース７１０内に、増幅部４０４が入っている。ベース６１０の下面において、第１信号入力端子２４４、第２信号入力端子２４６、出力測定端子４４８及び増幅部信号出力端子２５０が貫通し、下方に突出している。又、ベース４１０の下面（右辺部）には、電源ＡＣコード６６を挿入可能なコード溝（図示略）が形成されている。
ベース７１０の左右各面の後上角部には、断面円形の第１突起（図示略）が外側に突出している。又、ベース６１０の後面外面の中央部には、第８形態の載置部６１５と同様に成る載置部７１５が設けられている。
第１カバー７１２は、ベース７１０の開放面（前面）を閉塞したり開放したりするもので、３面（閉塞時上面、後面及び下面）が開放された箱状であり、閉塞時にベース７１０の外側に配置されている。
第１カバー７１２の左右内面の閉塞時後上角部には、ベース７１０の第１突起が入る第１溝部（図示略）が形成されている。第１溝部は、第１突起と同様な大きさであり、第１突起を移動不能に保持する。又、第１カバー７１２の左右外面の閉塞時前上角部には、第８形態の溝部６１７と同様の第２溝部（図示略）が形成されている。
第２カバー７１４は、ベース７１０の開放面（上面）を閉塞したり開放したりするもので、下面が開放された箱状あるいは蓋状であり、閉塞時にベース７１０の上側に配置されている。
第２カバー７１４の左右内面には、第１カバー７１２の第２溝部に入る第２突起（図示略）が形成されている。
【００６０】
増幅部４０４が電源部６と分離して用いられる場合、図３０，図３１に示されるように、第１カバー７１４がベース７１０の前方を塞ぎ、第２カバー７１６がベース７１０と第１カバー７１４に被さって、ケース７０２が収縮状態となり、増幅部４０４が閉塞される。又、カバー５１２は第１溝部を介して各第１突起の周りで回転可能であり、当該回転（９０°）によりベース７１０に対し開いて、増幅部４０４前面を露出させることができる。この回転の際、被さっている第２カバー７１６は、上方に持ち上げられ、第１カバー７１４の閉塞時前面（９０°回転時上面）に下面が接触する姿勢まで、第１カバー７１４に対し、第２溝部及び第２突起を介して相対的にスライド回転する。
増幅部４０４に電源部６を装着する場合、図３２，図３３に示されるように、第１カバー７１４が、第２カバー７１６と共に、９０°回転状態から更に９０°回転され、ケース７０２が伸張状態となるようにする。このとき、第２カバー７１６が第１カバー７１４の後下方に位置し、載置部７１５に載る。又、第１カバー７１２の閉塞時前面は、伸張時に後面となる。更に、第２カバー７１６の閉塞時及び９０°回転時の上面は、伸張時に後面となり、その伸張時後面は、載置部７１５の後面と面一に揃う。そして、電源部６が増幅部４０４に上方から装着される。第１カバー７１２は、電源部６の前面、上面及び下面以外を覆う。
【００６１】
第９形態のブースタ装置７０１のケース７０２は、ベース７１０と、それに連結される第１カバー７１２と、それに連結される第２カバー７１４と、を備えており、ベース７１０とカバー７１２を伸縮する手段として、第１カバー７１２に形成された第１溝部と、その第１溝部に入るようにベース７１０に形成された第１突起と、第１カバー７１２に形成された第２溝部と、その第２溝部に入るように第２カバー７１４に形成された第２突起と、を有しており、第１カバー７１２に対する第２カバー７１４の姿勢がスライド回転により変更された状態で、第１カバー７１２がベース７１０に対して回転により姿勢変化することによって、ケース７０２を伸縮させる。よって、伸縮するケース７０２がシンプルに実現される。
尚、第９形態においても、第１形態等と同様の変更例が存在する。又、第１カバー７１２に第１突起及び第２突起の少なくとも一方が設けられ、ベース７１０及び第２カバー７１４の少なくとも一方に溝部が設けられても良い。ベース７１０と第１カバー７１２とがスライド回転して第１カバー７１２と第２カバー７１４とが回転しても良いし、これら双方がスライド回転しても良い。
【符号の説明】
【００６２】
１，１０１，２０１，４０１，５０１，６０１，７０１・・ブースタ装置（電源部着脱型電子機器，電源部着脱型信号送受信機，電源部着脱型放送信号送受信機）、２，１０２，２０２，３０２，４０２，５０２，６０２，７０２・・ケース、４，４０４・・増幅部、６，３０６・・電源部、１０，２１０，３１０，４１０，５１０，６１０，７１０・・ベース、１２，３１２，７１２・・第１カバー、１４，２１４，３１４・・引き出し、１６，１１６，３１６，７１４・・第２カバー、１８，１１８，２１８，３１８，４１２，５１２，６１２・・カバー、２０・・ピン（カバー開閉伸縮手段，第１カバー回転部）、２２・・レール（スライド機構）、２４・・ガイド（スライド機構）、１２１・・ピン（カバー開閉伸縮手段，第２カバー回転部）、２１３・・カバー巻き取り手段（カバー開閉伸縮手段）、３０１・・光受信機、３０４・・光／電気信号処理部。
【図１】
2019036954.tif 000003
【図２】
2019036954.tif 000004
【図３】
2019036954.tif 000005
【図４】
2019036954.tif 000006
【図５】
2019036954.tif 000007
【図６】
2019036954.tif 000008
【図７】
2019036954.tif 000009
【図８】
2019036954.tif 000010
【図９】
2019036954.tif 000011
【図１０】
2019036954.tif 000012
【図１１】
2019036954.tif 000013
【図１２】
2019036954.tif 000014
【図１３】
2019036954.tif 000015
【図１４】
2019036954.tif 000016
【図１５】
2019036954.tif 000017
【図１６】
2019036954.tif 000018
【図１７】
2019036954.tif 000019
【図１８】
2019036954.tif 000020
【図１９】
2019036954.tif 000021
【図２０】
2019036954.tif 000022
【図２１】
2019036954.tif 000023
【図２２】
2019036954.tif 000024
【図２３】
2019036954.tif 000025
【図２４】
2019036954.tif 000026
【図２５】
2019036954.tif 000027
【図２６】
2019036954.tif 000028
【図２７】
2019036954.tif 000029
【図２８】
2019036954.tif 000030
【図２９】
2019036954.tif 000031
【図３０】
2019036954.tif 000032
【図３１】
2019036954.tif 000033
【図３２】
2019036954.tif 000034
【図３３】
2019036954.tif 000035